(57)【特許請求の範囲】
【請求項１】
戸開残り時間を延長する指示が入力される戸開延長入力部と、
前記戸開延長入力部に入力される情報に基づいて、戸開残り時間を演算する制御装置と、
前記制御装置が演算する戸開残り時間を、戸開残り時間に比例する大きさで表示する時間表示部と、を備え、
前記制御装置は、前記時間表示部が戸開残り時間をリアルタイムで表示するように、前記時間表示部を制御し、
前記制御装置は、前記戸開延長入力部に情報が入力された場合に、戸開残り時間をリアルタイムで増加し、
前記戸開延長入力部は、操作される延長操作部と、押し操作に関する大きさを検出する押し検出部を備え、
前記延長操作部は、弾性を有し、
前記押し検出部は、少なくとも前記延長操作部を押す圧力の大きさを検出し、
前記制御装置は、前記押し検出部が検出する大きさに比例する時間を、戸開残り時間に増加する、エレベータ。
【請求項２】
前記時間表示部と前記戸開延長入力部との離間距離は、戸開延長入力部の最大幅よりも、小さい、請求項１に記載のエレベータ。
【請求項３】
戸開残り時間を延長する指示が入力される戸開延長入力部と、
前記戸開延長入力部に入力される情報に基づいて、戸開残り時間を演算する制御装置と、
前記制御装置が演算する戸開残り時間を、戸開残り時間に比例する大きさで表示する時間表示部と、を備え、
前記制御装置は、前記時間表示部が戸開残り時間をリアルタイムで表示するように、前記時間表示部を制御し、
前記制御装置は、前記戸開延長入力部に情報が入力された場合に、戸開残り時間をリアルタイムで増加し、
前記戸開延長入力部は、押し操作に関する大きさを検出する押し検出部を備え、
前記制御装置は、前記押し検出部が検出する大きさに比例する時間を、戸開残り時間に増加し、
前記制御装置は、前記押し検出部が検出する大きさと比例定数との積を、増加する戸開残り時間と演算し、
前記制御装置は、戸開残り時間の大きさに基づいて、前記比例定数を変化する、エレベータ。
【発明の詳細な説明】
【技術分野】
【０００１】
本出願は、エレベータに関する。
【背景技術】
【０００２】
従来、例えば、エレベータは、戸開残り時間（かご戸が開いている残り時間、かご戸が閉じるまでの時間）を通知するために、戸開残り時間に応じた色の表示灯を点灯させる制御装置を備えている（例えば、特許文献１）。ところで、特許文献１に係るエレベータにおいては、戸開残り時間と表示灯の色との関係が把握できていない場合には、戸開残り時間を認識することができない。
【先行技術文献】
【特許文献】
【０００３】
【特許文献１】特開平７−３１５７３５号公報
【発明の概要】
【発明が解決しようとする課題】
【０００４】
そこで、課題は、戸開残り時間を適切に認識することができるエレベータを提供することである。
【課題を解決するための手段】
【０００５】
エレベータは、戸開残り時間を延長する指示が入力される戸開延長入力部と、前記戸開延長入力部に入力される情報に基づいて、戸開残り時間を演算する制御装置と、前記制御装置が演算する戸開残り時間を、戸開残り時間に比例する大きさで表示する時間表示部と、を備え、前記制御装置は、前記時間表示部が戸開残り時間をリアルタイムで表示するように、前記時間表示部を制御する。
【０００６】
また、エレベータにおいては、前記制御装置は、前記戸開延長入力部に情報が入力された場合に、戸開残り時間をリアルタイムで増加する、という構成でもよい。
【０００７】
また、エレベータにおいては、前記戸開延長入力部は、押し操作に関する大きさを検出する押し検出部を備え、前記制御装置は、前記押し検出部が検出する大きさに比例する時間を、戸開残り時間に増加する、という構成でもよい。
【０００８】
また、エレベータにおいては、前記制御装置は、前記押し検出部が検出する大きさと比例定数との積を、増加する戸開残り時間と演算し、前記制御装置は、戸開残り時間の大きさに基づいて、前記比例定数を変化する、という構成でもよい。
【図面の簡単な説明】
【０００９】
【図１】図１は、一実施形態に係るエレベータの全体概要図である。
【図２】図２は、同実施形態に係るかごの内部の模式図である。
【図３】図３は、同実施形態に係る戸開閉操作部の要部正面図である。
【図４】図４は、同実施形態に係る戸開閉操作部の要部側面図である。
【図５】図５は、同実施形態に係る戸開閉操作部の要部側面図であって、操作された状態を示す図である。
【図６】図６は、同実施形態に係るエレベータの制御ブロック図である。
【図７】図７は、同実施形態に係るエレベータの制御フロー図である。
【図８】図８は、同実施形態に係る戸開閉操作部の要部正面図であって、表示の変化を説明する図である。
【図９】図９は、他の実施形態に係る時間表示部の正面図であって、表示の変化を説明する図である。
【図１０】図１０は、さらに他の実施形態に係る時間表示部の正面図であって、表示の変化を説明する図である。
【図１１】図１１は、さらに他の実施形態に係る時間表示部の正面図であって、表示の変化を説明する図である。
【図１２】図１２は、さらに他の実施形態に係る時間表示部の正面図であって、表示の変化を説明する図である。
【図１３】図１３は、さらに他の実施形態に係る戸開閉操作部の要部正面図である。
【図１４】図１４は、さらに他の実施形態に係る乗場操作部の正面図である。
【発明を実施するための形態】
【００１０】
以下、エレベータにおける一実施形態について、図１〜図８を参照しながら説明する。なお、各図（図９〜図１４も同様）において、図面の寸法比と実際の寸法比とは、必ずしも一致しておらず、また、各図面の間での寸法比も、必ずしも一致していない。
【００１１】
図１に示すように、本実施形態に係るエレベータ１は、ユーザが乗るためのかご２と、一端部がかご２に接続されるロープ１ａと、ロープ１ａの他端部に接続される釣合錘１ｂとを備えている。エレベータ１は、ロープ１ａを駆動してかご２を昇降させる巻上機１ｃと、各構成を制御する制御装置３とを備えている。
【００１２】
本実施形態においては、ロープ１ａの一端部がかご２に固定され、ロープ１ａの他端部が釣合錘１ｂに固定されている、という構成であるが、斯かる構成に限られない。例えば、ロープ１ａの両端部がそれぞれ昇降路Ｘ１の上部に固定され、ロープ１ａがかご２のシーブ及び釣合錘１ｂのシーブにそれぞれ巻き掛けられることによって、ロープ１ａがかご２及び釣合錘１ｂにそれぞれ接続されている、という構成でもよい。
【００１３】
また、本実施形態に係るエレベータ１は、巻上機１ｃを、昇降路Ｘ１の上部に配置される機械室Ｘ２の内部に配置する、という構成であるが、斯かる構成に限られない。例えば、機械室Ｘ２が備えられておらず、エレベータ１は、巻上機１ｃを昇降路Ｘ１の内部に配置する、という構成でもよい。
【００１４】
また、本実施形態に係るエレベータ１は、ロープ式の駆動方式である、という構成であるが、斯かる構成に限られない。例えば、エレベータ１は、油圧式の駆動方式である、という構成でもよく、また、リニアモータ式の駆動方式である、という構成でもよい。
【００１５】
図１及び図２に示すように、エレベータ１は、それぞれの乗場Ｘ３の開口を開閉するために横方向Ｄ１に移動する乗場戸１ｄを備えており、かご２は、かご２の開口を開閉するために横方向Ｄ１に移動するかご戸２ａを備えている。そして、かご戸２ａが開閉されることにより、かご２が停止している乗場Ｘ３の乗場戸１ｄも、連動して開閉される。
【００１６】
なお、エレベータ１は、それぞれの乗場Ｘ３に、例えば、かご２を呼び出すために操作される乗場操作部１ｅを備えている。また、制御装置３は、特に限定されないが、例えば、機械室Ｘ２の内部に主制御部３ａを備え、また、例えば、かご２の内部等に、副制御部３ｂを備えている。
【００１７】
かご２は、かご戸２ａの両側で且つかご２の内部に、パネル部２ｂ，２ｂを備えている。そして、かご２は、パネル部２ｂに、操作されるかご操作部２ｃと、情報を表示するかご表示部２ｄとを備えている。かご表示部２ｄは、例えば、現在の位置（階数）及びかご２の移動方向（上昇方向、下降方向）を表示している。
【００１８】
なお、本実施形態においては、かご操作部２ｃは、一方のパネル部２ｂに取り付けられているが、かご操作部２ｃの各部のうち、少なくとも一部は、両方のパネル部２ｂ，２ｂに取り付けられていてもよい。また、同様に、本実施形態においては、かご表示部２ｄは、一方のパネル部２ｂに取り付けられているが、両方のパネル部２ｂ，２ｂに取り付けられていてもよい。
【００１９】
かご操作部２ｃは、かご２の行先の指示を入力する行先入力部２ｅと、かご戸２ａの開閉を指示するために操作される戸開閉操作部２ｆとを備えている。図３〜図５に示すように、戸開閉操作部２ｆは、戸開残り時間を延長する指示を入力する戸開延長入力部４と、戸開残り時間を表示する時間表示部５と、かご戸２ａ（図２参照）を閉じる指示を入力する戸閉入力部６とを備えている。
【００２０】
戸開延長入力部４は、戸開残り時間を延長する指示を入力するために、操作される延長操作部４ａを備えており、戸閉入力部６は、かご２ａを閉じる指示を入力するために、操作される戸閉操作部６ａを備えている。本実施形態においては、延長操作部４ａ及び戸閉操作部６ａは、押し操作によって、指示が入力されるように構成されている。
【００２１】
そして、延長操作部４ａと戸閉操作部６ａとの形状は、異なっている。これにより、延長操作部４ａと戸閉操作部６ａとが視覚的に区別されるため、戸開操作（具体的には、戸開延長操作）及び戸閉操作、即ち、戸開閉操作を行う際に、操作する操作部４ａ，６ａを間違うことを抑制することができる。
【００２２】
しかも、延長操作部４ａが弾性を有していることに対して、戸閉操作部６ａが剛性を有している。これにより、延長操作部４ａは、押し力Ｆ１で操作されることによって、弾性変形することに対して、戸閉操作部６ａは、押し力Ｆ２で操作されることによって、変形しない。
【００２３】
したがって、延長操作部４ａと戸閉操作部６ａとが触覚的にも区別されるため、戸開閉操作を行う際に、操作する操作部４ａ，６ａを間違うことをさらに抑制することができる。なお、延長操作部４ａへの押し力Ｆ１が取り除かれた場合には、延長操作部４ａは、復元する（図４参照）。
【００２４】
そして、戸開延長入力部４は、延長操作部４ａに対する押し操作に関する大きさを検出する押し検出部４ｂを備えている。押し検出部４ｂは、戸開延長入力部４の内部、即ち、延長操作部４ａの内部に配置されている。
【００２５】
なお、押し検出部４ｂが検出する大きさは、特に限定されないが、例えば、押す圧力（単位：Ｎ／ｍ２）、押す面積（単位：ｍ２）、押す力（単位：Ｎ、押す圧力と押す面積との積）、押す距離（単位：ｍ）、押す時間（単位：秒）のうち、一つ又は複数の組み合わせとすることができる。また、押し検出部４ｂの構成は、特に限定されないが、例えば、押し検出部４ｂは、各種センサ（例えば、圧力センサ）とすることができる。
【００２６】
時間表示部５の配置は、特に限定されないが、時間表示部５は、戸開延長入力部４の近傍に配置されることが好ましい。例えば、時間表示部５と戸開延長入力部４との離間距離は、戸開延長入力部４の最大幅よりも、小さいことが好ましい。本実施形態においては、時間表示部５は、戸開延長入力部４に連接されている。これにより、戸開延長入力部４の延長操作部４ａを操作しながら、時間表示部５を容易に視認することができる。
【００２７】
そして、時間表示部５は、戸開残り時間を、戸開残り時間に比例する大きさで表示している。なお、「比例」とは、戸開残り時間Ｔ１が、時間表示部５の表示の大きさＷ１に、正比例する、即ち、Ｔ１＝α１＊Ｗ１（α１：比例定数）という関係だけでなく、概ね比例する、即ち、Ｔ１≒α１＊Ｗ１という関係を含む。
【００２８】
また、時間表示部５の表示方法は、特に限定されないが、本実施形態においては、時間表示部５は、戸開残り時間を、表示領域５ａの長さＷ１（及び面積の大きさ）で表示している。これにより、表示領域５ａの長さＷ１は、戸開残り時間に比例している。したがって、戸開残り時間を視覚的に把握することができる。
【００２９】
そして、時間表示部５のうち、表示領域５ａと、それ以外の非表示領域５ｂとの表示方法は、特に限定されないが、本実施形態においては、表示領域５ａが点灯（表示）し、非表示領域５ｂが消灯（非表示）することによって、表示領域５ａと非表示領域５ｂとが区別されている。なお、例えば、表示領域５ａが第１の色で表示（点灯）し、非表示領域５ｂが第１の色と異なる第２の色で表示（点灯）することによって、表示領域５ａと非表示領域５ｂとが区別されていてもよい。
【００３０】
図６に示すように、制御装置３は、各部１ｅ，２ｅ，４，６からの情報を取得する取得部３ｃと、各情報を記憶する記憶部３ｄと、取得部３ｃで取得する情報及び記憶部３ｄで記憶する情報に基づいて、各情報を演算する演算部３ｅとを備えている。また、制御装置３は、かご２の移動を制御するために、巻上機１ｃを制御する巻上制御部３ｆと、かご戸２ａの開閉動作を制御するかご戸制御部３ｇと、かご表示部２ｄ及び時間表示部５を制御する表示制御部３ｈとを備えている。
【００３１】
演算部３ｅは、戸開延長入力部４に入力される情報に基づいて、増加する戸開残り時間を演算する。具体的には、演算部３ｅは、押し検出部４ｂが検出する大きさに比例する時間を、戸開残り時間に増加する。なお、「比例」とは、押し検出部４ｂが検出する大きさＬ１が、戸開残り時間の増加時間Ｔ２に、正比例する、即ち、Ｔ２＝α２＊Ｌ１（α２：比例定数）という関係だけでなく、概ね比例する、即ち、Ｔ２≒α２＊Ｌ１という関係を含む。
【００３２】
このように、戸開残り時間の増加時間Ｔ２は、押し検出部４ｂの大きさＬ１と比例定数α２との積である。そして、演算部３ｅは、戸開残り時間Ｔ１の大きさに基づいて、比例定数α２を変化させている。具体的には、戸開残り時間Ｔ１が大きいほど、比例定数α２が大きい、という構成でもよく、また、戸開残り時間Ｔ１が大きいほど、比例定数α２が小さい、という構成でもよい。これにより、戸開残り時間Ｔ１に応じて、増加する戸開残り時間Ｔ２をフレキシブルに対応させることができる。
【００３３】
戸開残り時間Ｔ１が大きいほど、比例定数α２が大きい、という構成によれば、例えば、戸開残り時間Ｔ１を少しだけ延長したい状況においては、一般的に、戸開残り時間Ｔ１が短い場合が多いため、戸開残り時間Ｔ１を微調整することができる。また、当該構成によれば、例えば、戸開残り時間Ｔ１を長く延長したい状況においては、少ない操作量で戸開残り時間Ｔ１を長く延長することができる。
【００３４】
また、戸開残り時間Ｔ１が大きいほど、比例定数α２が小さい、という構成によれば、例えば、駆け込み乗車をしてくる人を見つけたとき等、咄嗟の戸開操作が必要な状況においては、一般的に、戸開残り時間Ｔ１が少ない場合が多いため、少ない操作量で戸開残り時間Ｔ１を長く延長することができる。また、当該構成によれば、例えば、落ち着いて戸開残り時間Ｔ１を延長する操作をできる状況においては、一般的に、戸開残り時間Ｔ１が長い場合が多いため、ユーザが望む戸開残り時間Ｔ１に微調整することができる。
【００３５】
また、表示制御部３ｈは、戸開残り時間をリアルタイムで表示するように、時間表示部５を制御する。これにより、時間表示部５で表示される戸開残り時間の減少の速さによって、正確な戸開残り時間を認識することができる。
【００３６】
しかも、演算部３ｅは、戸開延長入力部４に情報が入力された場合に、戸開残り時間をリアルタイムで増加している。これにより、時間表示部５で表示される戸開残り時間を確認しながら、戸開延長入力部４に情報を入力することによって、所望の戸開残り時間を設定することができる。
【００３７】
次に、戸開残り時間及びかご戸２ａの開閉動作の制御方法について、図７を参照しながら説明する。
【００３８】
まず、かご２が所定の乗場Ｘ３に到着すると、かご戸制御部３ｇは、かご戸２ａの戸開動作を開始する（Ｓ１）。このとき、演算部３ｅは、戸開残り時間を初期値（例えば、３秒）に設定する（Ｓ２）。なお、当該ステップＳ２の開始条件は、戸開動作の開始Ｓ１ではなく、戸開動作の完了としてもよい。その後、時間が経過することに伴って、演算部３ｅは、戸開残り時間を減少させる（Ｓ３）。
【００３９】
なお、戸閉入力部６から戸閉の指示があった場合には（Ｓ４の「Ｙ」）、演算部３ｅは、戸開残り時間をゼロにする（Ｓ５）。即ち、戸閉入力部６は、戸開残り時間をリセット（ゼロに）させる指示を入力させるリセット入力部としての機能も備えている。また、戸開残り時間が経過した場合にも、演算部３ｅで演算する戸開残り時間は、ゼロになる。
【００４０】
そして、戸開延長入力部４に戸開延長の指示が入力されず（Ｓ６の「Ｎ」）、戸開残り時間がゼロである場合には（Ｓ１０の「Ｙ」）、かご戸制御部３ｇは、かご戸２ａの閉動作を開始する（Ｓ１１）。その後、引き続き、戸開延長入力部４に戸開延長の指示が入力されない場合には（Ｓ１２の「Ｎ」）、かご戸２ａの閉動作は、完了する（Ｓ１４）。
【００４１】
ところで、かご戸２ａの閉動作が完了する（Ｓ１４）前に、戸開延長入力部４に戸開延長の指示が入力された場合には（Ｓ６の「Ｙ」、Ｓ１２の「Ｙ」）、押し検出部４ｂが押し操作の大きさ（例えば、押す圧力）を検出する（Ｓ７）。そして、演算部３ｅは、押し検出部４ｂで検出した大きさに比例する時間を、演算し（Ｓ８）、その後、当該演算した時間を、戸開残り時間に増加する（Ｓ９）。
【００４２】
そして、かご戸２ａの閉動作が完了する（Ｓ１４）まで、演算部３ｅは、戸開残り時間の演算を繰り返し行う（Ｓ９→Ｓ３、Ｓ１０の「Ｎ」→Ｓ３）。なお、かご戸制御部３ｇは、かご戸２ａの閉動作を開始した（Ｓ１１）後に、戸開延長入力部４に戸開延長の指示が入力された場合には（Ｓ１２の「Ｙ」）、かご戸制御部３ｇは、かご戸２ａの戸開動作を開始する(Ｓ１３）。
【００４３】
次に、時間表示部５の表示方法について、図７及び図８を参照しながら説明する。
【００４４】
まず、かご戸２ａが開いた場合には（図７のＳ１）、戸開残り時間が初期値（例えば、３秒）に設定され（図７のＳ２）、図８（ａ）に示すように、時間表示部５は、戸開残り時間を、戸開残り時間に比例する大きさで表示している。具体的には、戸開残り時間は、表示領域５ａの長さＷ１で表示されている。これにより、戸開残り時間を視覚的に認識することができる。
【００４５】
そして、時間表示部５は、戸開残り時間をリアルタイムで表示している。これにより、例えば、時間が経過することによって、戸開残り時間が減少するため（図７のＳ３）、図８（ｂ）に示すように、表示領域５ａの長さＷ１がリアルタイムで徐々に短くなる。これにより、表示領域５ａの長さＷ１が短くなる速さによって、正確な戸開残り時間を認識することができる。
【００４６】
また、例えば、延長操作部４ａが操作された場合には、戸開残り時間が増加するため（図７のＳ９）、図８（ｃ）に示すように、表示領域５ａの長さＷ１がリアルタイムで徐々に長くなる。これにより、増加する戸開残り時間を視覚的に認識することができる。したがって、時間表示部５で表示される戸開残り時間（具体的には、表示領域５ａ）を確認しながら、延長操作部４ａを操作して戸開延長入力部４に情報を入力することによって、所望の戸開残り時間を設定することができる。
【００４７】
しかも、押し操作に関する大きさ（例えば、押し圧力）に比例する時間が、リアルタイムで、戸開残り時間に増加される。これにより、押し操作に関する大きさを変更することによって、戸開残り時間に対して単位時間当たりに増加させる時間を変更することができる。したがって、戸開残り時間を増加させる操作をフレキシブルに対応させることができる。
【００４８】
そして、時間が経過することによって、戸開残り時間が減少するため（図７のＳ３）、図８（ｄ）に示すように、表示領域５ａの長さＷ１がリアルタイムで徐々に短くなる。このとき、戸開残り時間が所定時間（例えば、１．５秒）以下になった場合に、例えば、表示領域５ａが表示（点灯）する色は、変化してもよく、また、例えば、表示領域５ａが、点滅したり、表示領域５ａの点滅周期が、変化（徐々に短くなる）したりしてもよい。これにより、戸開残り時間が少なくなっていることを認識させることができる。
【００４９】
そして、最終的には、戸開残り時間がゼロになることに伴って、表示領域５ａの長さＷ１がゼロになる。その後、かご戸２ａが閉じられる（図７のＳ１１、Ｓ１４）。このように、時間表示部５が戸開残り時間をリアルタイムで表示するため、戸開残り時間を適切に認識することができる。
【００５０】
以上より、本実施形態に係るエレベータ１は、戸開残り時間を延長する指示が入力される戸開延長入力部４と、前記戸開延長入力部４に入力される情報に基づいて、戸開残り時間を演算する制御装置３と、前記制御装置３が演算する戸開残り時間を、戸開残り時間に比例する大きさで表示する時間表示部５と、を備え、前記制御装置３は、前記時間表示部５が戸開残り時間をリアルタイムで表示するように、前記時間表示部５を制御する。
【００５１】
斯かる構成によれば、時間表示部５が、戸開残り時間を、戸開残り時間に比例する大きさで表示するため、戸開残り時間を視覚的に認識することができる。そして、時間表示部５が戸開残り時間をリアルタイムで表示するため、戸開残り時間を適切に認識することができる。
【００５２】
また、本実施形態に係るエレベータ１においては、前記制御装置３は、前記戸開延長入力部４に情報が入力された場合に、戸開残り時間をリアルタイムで増加する、という構成である。
【００５３】
斯かる構成によれば、戸開延長入力部４に情報が入力された場合に、時間表示部５で表示される戸開残り時間は、リアルタイムで増加する。これにより、増加する戸開残り時間を認識することができる。
【００５４】
また、本実施形態に係るエレベータ１においては、前記戸開延長入力部４は、押し操作に関する大きさを検出する押し検出部４ｂを備え、前記制御装置３は、前記押し検出部４ｂが検出する大きさに比例する時間を、戸開残り時間に増加する、という構成である。
【００５５】
斯かる構成によれば、戸開延長入力部４に押し操作がされることによって、押し操作に関する大きさに比例する時間が、リアルタイムで戸開残り時間に増加される。これにより、押し操作に関する大きさを変更することによって、戸開残り時間に対して、単位時間当たりに増加される時間を変更することができる。
【００５６】
また、本実施形態に係るエレベータ１においては、前記制御装置３は、前記押し検出部４ｂが検出する大きさＬ１と比例定数α２との積を、増加する戸開残り時間Ｔ２と演算し、前記制御装置３は、戸開残り時間Ｔ１の大きさに基づいて、前記比例定数α２を変化する、という構成でもよい。
【００５７】
斯かる構成によれば、比例定数α２は、戸開残り時間Ｔ１の大きさに基づいて、変化している。これにより、戸開残り時間Ｔ１に応じて、増加する戸開残り時間Ｔ２をフレキシブルに対応させることができる。
【００５８】
なお、エレベータ１は、上記した実施形態の構成に限定されるものではなく、また、上記した作用効果に限定されるものではない。また、エレベータ１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５９】
（１）上記実施形態に係るエレベータ１においては、時間表示部５は、戸開残り時間を、帯状（グラフ状）の表示領域５ａの長さＷ１（及び、表示領域５ａの面積の大きさ）で表示している、という構成である。しかしながら、エレベータ１は、斯かる構成に限られない。例えば、図９〜図１２に示すように、時間表示部５は、制御装置３が演算する戸開残り時間を、戸開残り時間に比例する大きさで表示する、という構成であればよい。
【００６０】
（１−１）図９に係る時間表示部５においては、例えば、戸開残り時間が初期値に設定された場合には、図９（ａ）に示すように、戸開残り時間は、表示領域５ａの面積Ａ１の大きさで表示されている。そして、戸開延長入力部４に情報が入力され、戸開残り時間が増加された場合には、図９（ｂ）に示すように、表示領域５ａの面積Ａ１は、大きくなる。
【００６１】
その後、時間が経過することによって、戸開残り時間が減少するため、図９（ｃ）に示すように、表示領域５ａの面積Ａ１は、小さくなり、最終的には、戸開残り時間がゼロになることに伴って、表示領域５ａの面積Ａ１は、ゼロになる。このように、図９に示すように、戸開残り時間は、図柄中の一部の領域、即ち、表示領域５ａの面積Ａ１の大きさ（及び、表示領域５ａの上下方向の高さ）で、戸開残り時間を表示している、という構成でもよい。
【００６２】
（１−２）図１０に係る時間表示部５においては、例えば、戸開残り時間が初期値に設定された場合には、図１０（ａ）に示すように、戸開残り時間は、直線部５ｃの長さＷ２の大きさで表示されている。そして、戸開延長入力部４に情報が入力され、戸開残り時間が増加された場合には、図１０（ｂ）に示すように、直線部５ｃの長さＷ２は、大きくなる。
【００６３】
その後、時間が経過することによって、戸開残り時間が減少するため、図１０（ｃ）に示すように、直線部５ｃの長さＷ２は、小さくなり、最終的には、戸開残り時間がゼロになることに伴って、直線部５ｃの長さＷ２は、ゼロになる。このように、図１０に示すように、戸開残り時間は、図柄中の一部の部分、即ち、直線部５ｃの長さＷ２で、戸開残り時間を表示している、という構成でもよい。なお、特に限定されないが、図１０においては、直線部５ｃの面積と曲線部５ｄの面積との総和は、一定である。
【００６４】
（１−３）図１１に係る時間表示部５においては、例えば、戸開残り時間が初期値に設定された場合には、図１１（ａ）に示すように、戸開残り時間は、針５ｅが指し示す目盛５ｆの大きさで表示されている。そして、戸開延長入力部４に情報が入力され、戸開残り時間が増加された場合には、図１１（ｂ）に示すように、針５ｅが指し示す目盛５ｆの大きさは、大きくなる。
【００６５】
その後、時間が経過することによって、戸開残り時間が減少するため、図１１（ｃ）に示すように、針５ｅが指し示す目盛５ｆの大きさは、小さくなり、最終的には、戸開残り時間がゼロになることに伴って、針５ｅが指し示す目盛５ｆの大きさは、ゼロになる。このように、図１１に示すように、時間表示部５は、目盛５ｆを備え、指示部（針５ｅ）に指し示される目盛５ｆの大きさで、戸開残り時間を表示している、という構成でもよい。
【００６６】
（１−４）図１２に係る時間表示部５においては、例えば、戸開残り時間が初期値に設定された場合には、図１２（ａ）に示すように、戸開残り時間は、数字の大きさ（例えば、３秒）で表示されている。そして、戸開延長入力部４に情報が入力され、戸開残り時間が増加された場合には、図１２（ｂ）に示すように、時間表示部５で表示される数字の大きさは、大きくなる（例えば、２５秒）。
【００６７】
その後、時間が経過することによって、戸開残り時間が減少するため、図１２（ｃ）に示すように、時間表示部５で表示される数字の大きさは、小さくなり（例えば、１０秒）、最終的には、戸開残り時間がゼロになることに伴って、時間表示部５で表示される数字は、ゼロになる。このように、図１２に示すように、時間表示部５は、数字の大きさで、戸開残り時間を表示している、という構成でもよい。
【００６８】
（２）また、上記実施形態に係るエレベータ１においては、戸開閉操作部２ｆの入力部は、戸開延長入力部４及び戸閉入力部６のみである、という構成である。しかしながら、エレベータ１は、斯かる構成に限られない。
【００６９】
例えば、戸開閉操作部２ｆの入力部は、図１３に示すように、戸開延長入力部４及び戸閉入力部６の他に、戸開の指示の情報が入力される戸開入力部７をさらに備えている、という構成でもよい。斯かる構成においては、戸開入力部７に戸開の指示の情報が入力された場合には、制御装置３のかご戸制御部３ｇは、かご戸２ａを開けるように、かご戸２ａを制御する（例えば、図７のＳ１）。
【００７０】
なお、戸開入力部７に戸開の指示の情報が入力された場合には、例えば、制御装置３の演算部３ｅは、戸開残り時間を増加しない、という構成でもよい。また、例えば、戸開入力部７に戸開の指示の情報が入力された場合には、制御装置３の演算部３ｅは、戸開延長入力部４に延長の指示の情報が入力された場合と比較して、異なる方法で演算される戸開残り時間を増加する、という構成でもよい。
【００７１】
（３）また、上記実施形態に係るエレベータ１においては、かご操作部２ｃは、戸開延長入力部４及び時間表示部５を備えている、即ち、戸開延長入力部４及び時間表示部５は、かご２の内部に配置されている、という構成である。しかしながら、エレベータ１は、斯かる構成に限られない。
【００７２】
例えば、図１４に示すように、乗場操作部１ｅは、戸開延長入力部４及び時間表示部５を備えている、即ち、戸開延長入力部４及び時間表示部５は、かご２の外部（乗場Ｘ３）に配置されている、という構成でもよい。図１４に係る乗場操作部１ｅは、上昇するかご２を呼び出す指示を入力する第１呼出入力部１ｆと、下降するかご２を呼び出す指示を入力する第２呼出入力部１ｇとを備えている。
【００７３】
そして、戸開延長入力部４は、かご操作部２ｃのみに備えられていてもよく、乗場操作部１ｅのみに備えられていてもよく、かご操作部２ｃ及び乗場操作部１ｅの両方に備えられていてもよい。また、時間表示部５は、かご操作部２ｃのみに備えられていてもよく、乗場操作部１ｅのみに備えられていてもよく、かご操作部２ｃ及び乗場操作部１ｅの両方に備えられていてもよい。
【００７４】
（４）また、上記実施形態に係るエレベータ１においては、制御装置３は、戸開延長入力部４に情報が入力された場合に、戸開残り時間をリアルタイムで増加する、という構成である。しかしながら、エレベータ１は、斯かる構成が好ましいものの、斯かる構成に限られない。例えば、制御装置３は、戸開延長入力部４への情報の入力が完了した後に、戸開残り時間を増加する、という構成でもよい。
【００７５】
（５）また、上記実施形態に係るエレベータ１においては、制御装置３は、押し検出部４ｂが検出する大きさに比例する時間を、戸開残り時間に増加する、という構成である。しかしながら、エレベータ１は、斯かる構成が好ましいものの、斯かる構成に限られない。例えば、制御装置３は、押し検出部４ｂが検出する大きさに関係なく、一定の時間を戸開残り時間に増加する、という構成でもよい。また、例えば、戸開延長入力部４は、押し検出部４ｂを備えていない、という構成でもよい。
【００７６】
（６）また、上記実施形態に係るエレベータ１においては、戸開延長入力部４は、押し操作をされることによって、戸開残り時間を延長する指示が入力される、という構成である。しかしながら、エレベータ１は、斯かる構成が好ましいものの、斯かる構成に限られない。例えば、戸開延長入力部４は、引き操作又は回転操作をされることによって、戸開残り時間を延長する指示が入力される、という構成でもよい。
【００７７】
（７）また、上記実施形態に係るエレベータ１においては、延長操作部４ａと戸閉操作部６ａとの形状は、異なっており、しかも、延長操作部４ａと戸閉操作部６ａとの剛性（弾性）は、異なっている、という構成である。しかしながら、エレベータ１は、斯かる構成に限られない。例えば、延長操作部４ａと戸閉操作部６ａとの形状は、同じである、という構成でもよい。また、例えば、延長操作部４ａと戸閉操作部６ａとの剛性（弾性）は、同じである、という構成でもよい。
【００７８】
（８）また、上記実施形態に係るエレベータ１においては、時間表示部５は、かご操作部２ｃにだけ備えられている、という構成である。しかしながら、エレベータ１は、斯かる構成に限られない。例えば、時間表示部５は、かご表示部２ｄにも備えられている、という構成でもよく、かご表示部２ｄだけに備えられている、という構成でもよい。斯かる構成によれば、例えば、かご２内の乗客の全員に、戸開残り時間を認識させることができる。
【００７９】
（９）また、エレベータ１においては、戸開延長入力部４に、所定条件の情報が入力された場合に、演算部３ｅは、時間の経過に関わらず、戸開残り時間の減少を停止する、という構成でもよい。斯かる構成によれば、戸開残り時間がリセットされる（例えば、戸閉入力部６に、戸閉の指示が入力される）まで、かご戸２ａを開けることを維持することができる。なお、所定の条件とは、例えば、戸開延長入力部４に、複数回の入力が行われた場合、又は、戸開残り時間が閾値を超えるまで増加された場合とすることができる。
【００８０】
（１０）また、エレベータ１においては、制御装置３は、戸開残り時間Ｔ１の大きさに基づいて、比例定数α２を変化する、という構成である。しかしながら、エレベータ１は、斯かる構成が好ましいものの、斯かる構成に限られない。例えば、制御装置３は、戸開残り時間Ｔ１の大きさに関わらず、比例定数α２を変化しない（一定にする）、という構成でもよい。
【符号の説明】
【００８１】
１…エレベータ、１ａ…ロープ、１ｂ…釣合錘、１ｃ…巻上機、１ｄ…乗場戸、１ｅ…乗場操作部、１ｆ…第１呼出入力部、１ｇ…第２呼出入力部、２…かご、２ａ…かご戸、２ｂ…パネル部、２ｃ…かご操作部、２ｄ…かご表示部、２ｅ…行先入力部、２ｆ…戸開閉操作部、３…制御装置、３ａ…主制御部、３ｂ…副制御部、３ｃ…取得部、３ｄ…記憶部、３ｅ…演算部、３ｆ…巻上制御部、３ｇ…かご戸制御部、３ｈ…表示制御部、４…戸開延長入力部、４ａ…延長操作部、４ｂ…押し検出部、５…時間表示部、５ａ…表示領域、５ｂ…非表示領域、５ｃ…直線部、５ｄ…曲線部、５ｅ…針、５ｆ…目盛、６…戸閉入力部、６ａ…戸閉操作部、７…戸開入力部、Ｘ１…昇降路、Ｘ２…機械室、Ｘ３…乗場
【図１】
0006868873.tif 000002
【図２】
0006868873.tif 000003
【図３】
0006868873.tif 000004
【図４】
0006868873.tif 000005
【図５】
0006868873.tif 000006
【図６】
0006868873.tif 000007
【図７】
0006868873.tif 000008
【図８】
0006868873.tif 000009
【図９】
0006868873.tif 000010
【図１０】
0006868873.tif 000011
【図１１】
0006868873.tif 000012
【図１２】
0006868873.tif 000013
【図１３】
0006868873.tif 000014
【図１４】
0006868873.tif 000015